(57)【要約】      （修正有）【課題】玩具の部品を強い保持力で連結するとともに、連結部に過剰な力が加わった際の部品の破損を抑制できる部品連結構造を提供する。【解決手段】玩具の部品を連結するものであって、所定の距離を空けて配置された２つの磁石を有する第１の部品２１と、磁性体を有する第２の部品３と、を有し、２つの磁石が、互いに同極が向かい合うように配置されており、磁性体が２つの磁石の間に配置されることによって、第１の部品２１と第２の部品３とが着脱可能に連結されるように構成されている、部品連結構造。【選択図】図２
2019072078.tif 000002
【特許請求の範囲】
【請求項１】
玩具の部品を連結するものであって、
所定の距離を空けて配置された２つの磁石を有する第１の部品と、
磁性体を有する第２の部品と、
を有し、
前記２つの磁石が、互いに同極が向かい合うように配置されており、
前記磁性体が、前記２つの磁石の間に配置されることによって、前記第１の部品と前記第２の部品とが着脱可能に連結されるように構成されている、部品連結構造。
【請求項２】
前記第１の部品が、対向する一対の突起部を有するものであり、
前記２つの磁石が、前記一対の突起部の対向する面に取り付けられたものである請求項１記載の部品連結構造。
【請求項３】
前記第１の部品が、凹部を有するものであり、
前記２つの磁石が、前記凹部の対向する側壁に取り付けられたものである請求項１記載の部品連結構造。
【請求項４】
前記第１の部品が、第３の部品と屈曲可能に連結されており、
前記第２の部品が、前記第１の部品と前記第３の部品との屈曲箇所に跨るように配置されるものであり、
前記磁性体を前記２つの磁石の間に配置した状態において、前記磁性体の先端側が、前記屈曲箇所から遠ざかる方向に曲がって延びている、請求項１〜３のいずれか記載の部品連結構造。
【請求項５】
前記磁性体が、鉄、コバルト、ニッケル及びガドリニウムの少なくとも１つを含む、請求項１〜４のいずれか記載の部品連結構造。
【請求項６】
前記玩具が人形体である請求項１〜５のいずれか記載の部品連結構造。
【請求項７】
請求項１〜６のいずれか記載の部品連結構造を具備する玩具。
【発明の詳細な説明】
【技術分野】
【０００１】
本発明は、玩具の部品連結構造及び当該部品連結構造を具備する玩具に関するものである。
【背景技術】
【０００２】
従来、人間に近似した戦闘用ロボットを模した玩具として、例えば装甲具を模した装甲部品等の装飾部品を装着させるタイプの人形体が知られている。例えば特許文献１には、戦士の形態をとる人形体の脚部品の外側に、装甲部品を装着させるものが開示されている。
【０００３】
このような装飾部品を装着させるタイプの人形体では、例えば特許文献１に開示されているように、人形体の脚部品等を含む本体ユニットと装飾部品とをボールジョイントを介して連結させることが多い。これにより、装飾部品が本体ユニットに対して回動自在に取り付けられるので、例えば人形体の脚部品を動かした際に、装飾部品が脚部品に連動して動くことができ、よりリアルな質感を演出することができる。
【０００４】
しかしながらこの種の部品の連結構造は、一方の部品の一部を他方の部品に嵌合させて連結させるものであり、部品同士が非常に強い保持力で連結される。そのため、例えば、人形体の脚部品を大きく広げた場合には、脚部品によって押し上げられた装飾部品はその可動限界を超えても本体ユニットから外れることができず、連結部に過剰な力が加わって破損してしまうことがある。かといって、本体ユニットと装飾部品とを連結する保持力を弱くしすぎると、人形体の脚部品を広げた場合等に、装飾部品が本体ユニットから簡単に脱落してしまい、人形体で遊ぶ使用者にストレスを与えてしまう。
【０００５】
このように、装飾部品を装着させるタイプの人形体等の玩具においては、複数の部品を強い保持力で連結し、かつ連結部に過剰な力が加わった際の部品の破損を抑制できる部品連結構造が求められている。
【先行技術文献】
【特許文献】
【０００６】
【特許文献１】特開２０１７−０２９８１４号公報
【発明の概要】
【発明が解決しようとする課題】
【０００７】
本発明は上述した問題に鑑みてなされたものであり、玩具の部品を強い保持力で連結するとともに、連結部に過剰な力が加わった際の部品の破損を抑制できる部品連結構造を提供することを主たる課題とする。
【課題を解決するための手段】
【０００８】
本発明者らは、上記課題を解決するために鋭意検討した結果、磁力により複数の部品を連結する方法に着眼した。磁力により複数の部品を連結した場合には、連結部分に過剰な力が加わったとしても一方の部品が無理なく簡単に外れることができ、連結部の破損を防止することができるからである。本発明者らはさらに、一方の部品には、２つの磁石を距離を開けて向かい合うように配置し、当該部品に連結させる他方の部品には磁性体を取り付け、この磁性体を２つの磁石の間に挿入することにより複数の部品を連結することを考えた。このようなものであれば、２つの磁石の間で磁性体が動くことができるので、連結した部品が所定の可動域を有することができるようになるからである。
本発明者らは、このように構成した連結構造において、複数の部品をより強い保持力で連結させるために、さらに鋭意検討を重ねた。その結果、一方の部品に取り付けた２つの磁石を、異極が向かい合うように（すなわち、Ｎ極とＳ極が向かい合うように）配置するよりも、同極が向かい合うように配置する方が、第１の部品と第２の部品とを強固に連結することができることを見出し、本願発明に至ったのである。
【０００９】
すなわち、本発明に係る部品連結構造は、玩具の部品を連結するものであって、所定の距離を空けて配置された２つの磁石を有する第１の部品と、磁性体を有する第２の部品と、を有し、前記２つの磁石が、互いに同極が向かい合うように配置されており、前記磁性体が前記２つの磁石の間に配置されることによって、前記第１の部品と前記第２の部品とが着脱可能に連結されるように構成されている。
【００１０】
このようなものであれば、第１の部品と第２の部品とが、磁力により連結されているので、例えば、第２の部品にその可動域を超える程度の力が加わった場合には、第２の部品が第１の部品から容易に外れることができる。そのため、部品の破損を抑制することができる。
また、第１の部品が有する２つの磁石は所定の距離を開けて配置されているので、第２の部品の磁性体はこの２つの磁石間で動くことができる。そのため、第１の部品に連結した第２の部品は所定の可動域を有することができるので、たとえ第２の部品に外力が加わっても、すぐに第１の部品から脱落することがない。
さらに、第１の部品が有する２つの磁石は、所定の距離（一定の距離）を空けて同極が向かい合うように（すなわち、Ｎ極同士又はＳ極同士が向かい合うように）配置されているので、当該２つの磁石の間に磁性体が配置されると、磁性体と２つの磁石との間に非常に強い磁力が働き、磁性体が２つの磁石に引き付けられる。これにより、第１の部品と第２の部品とを強い保持力をもって連結することができる。
【００１１】
なお、２枚の磁石を異極が向かい合うように配置する場合には、互いの磁石が引き合うように力が働くため、製造時においては、一方の磁石を接着剤等で動かないように予め第１の部品に固定し、その上で他方の磁石を第１の部品に取り付ける必要がある。このため、一方の磁石に塗布した接着剤が完全に乾くまで他方の磁石を第１部品に取り付けることができず、生産性が低下する。しかし、本発明のように２枚の磁石を同極が向かい合うように配置する場合には、互いの磁石は反発するように力が働くので、これらを距離を空けて取り付ける際にも、一方の磁石と他方の磁石とを同時に第１の部品に接着剤等で固定できるため、生産性を低下させることなく容易に製造することができる。
【００１２】
前記部品連結構造の具体的な態様としては、前記第１の部品が、対向する一対の突起部を有しており、前記２つの磁石が前記一対の突起部の対向する面に取り付けられたものを挙げることができる。
【００１３】
また前記部品連結構造の別の具体的な態様としては、前記第１の部品が凹部を有するものであり、前記２つの磁石が、前記凹部の対向する側壁に取り付けられたものを挙げることができる。
【００１４】
前記磁性体は長尺状をなすものであることが好ましい。
このようなものであれば、第２の部品に対して磁性体の長手方向に力が加わった場合に、第２の部品はすぐに第１の部品から脱落することなく、磁力により第１の部品と連結したまま、前記長手方向にスライド移動することができる。これにより、第２の部品の可動域を広くすることができる。
【００１５】
また、前記第１の部品が第３の部品と屈曲可能に連結されており、前記第２の部品が、前記第１の部品と前記第３の部品との間に跨るように配置されるものであり、前記磁性体を前記２つの磁石の間に配置した状態において、前記磁性体の先端側が、前記屈曲箇所から遠ざかる方向に曲がって延びていることが好ましい。
このようなものであれば、第３の部品を第１の部品に対して屈曲させた際に、第３の部品が第２の部品の装着体に接触することにより第２の部品に力が加わったとしても、第２の部品は、屈曲箇所から遠ざかる方向に曲がって延びる磁性体を有しているので、この磁性体が曲がって延びる方向にもスライド移動することができる。これにより第２の部品の可動域をさらに広くすることができる。
【００１６】
前記磁性体は、鉄、コバルト、ニッケル及びガドリニウムの少なくとも１つを含むものである。
【００１７】
本発明の部品連結構造は、特に人形体における部品の接続に好適に用いることができる。ここで人形体とは、人間を模した玩具や、人間に近似したロボットを模した玩具や、動物や架空生物等を模した玩具を含むものであり、特に関節部を有して腕や脚等の本体ユニットが可動するものである。
このような関節部を有する人形体の本体ユニットに対して、本発明の部品連結構造を利用して装飾部品を装着した場合、上記した本発明の効果をより効果的に発現することができる。
【００１８】
本発明に係る玩具は、所定の距離を空けて配置された２つの磁石を有する第１の部品と、磁性体を有する第２の部品と、を有し、前記２つの磁石が、互いに同極が向かい合うように配置されており、前記磁性体が前記２つの磁石の間に配置されることによって、前記第１の部品と前記第２の部品とが着脱可能に連結されるように構成されている。
このような構成であれば、前記部品連結構造と同様の効果を得ることができる。
【発明の効果】
【００１９】
このように構成した本発明によれば、玩具の部品を強い保持力で連結するとともに、連結部に過剰な力が加わった際の部品の破損を抑制できる部品連結構造を提供することができる。
【図面の簡単な説明】
【００２０】
【図１】本発明の一実施形態の人形体の構成を概略的に示す図。
【図２】図１のＡ部の詳細を示す図であり、本体ユニットから装甲部品を取り外した状態を示す図。
【図３】同実施形態の部品連結構造を示す概略図。
【図４】同実施形態の部品連結構造の一断面を概略的に示す図。
【図５】別の実施形態の部品連結構造を示す図。
【図６】別の実施形態における、装甲部品の可動範囲を示す概略図。
【図７】別の実施形態の部品連結構造を示す概略図。
【発明を実施するための形態】
【００２１】
以下に本発明に係る部品連結構造を備える玩具の一実施形態について図面を参照して説明する。本実施形態では、玩具の一例として人形体を挙げて説明している。なお、以下に説明する部品連結構造は、本発明の技術思想を具体化するためのものであって、特定的な記載がない限り、本発明を以下のものに限定しない。また、一の実施形態において説明する内容は、他の実施形態にも適用可能である。また、各図面が示す部材の大きさや位置関係等は、説明を明確にするため、誇張していることがある。
【００２２】
図１は、本実施形態の人形体１の全体構成を示す図である。本実施形態の人形体１は、人間に近似した戦闘用ロボットを模した組み立て式のプラスチック製の模型であり、図１に示すように、ロボットの本体を模した本体ユニット２と、装甲具を模した装甲部品３とを有する。
【００２３】
本体ユニット２は、複数の部品から構成されるものであり、腰部を模した腰部品２１、胸部を模した胸部品２２、頭部を模した頭部品２３、脚部を模した左右一対の脚部品２４及び腕部を模した左右一対の腕部品２５を有している。本体ユニット２が有するこれらの各部は、例えばボールジョイント等で連結されており、各部が所定の可動域を有するように構成されている。
装甲部品３は、装甲具を模した板状の部品であり、ここでは前記腰部品２１に連結されている。
本実施形態では、腰部品２１（特許請求の範囲の“第１の部品”に相当する）と装甲部品３（特許請求の範囲の“第２の部品”に相当する）とを、以下のような部品連結構造で連結していることに特徴がある。以下に詳細を説明する。
【００２４】
図２は図１のＡ部の詳細を示す図であり、ここでは、装甲部品３が腰部品２１から取り外された状態を示している。
図２に示すように、腰部品２１は、外側面から突出した保持部２１１を有している。保持部２１１は、磁力によって、連結する他の部品を保持するためのものである。保持部２１１には隙間Ｐが形成されており、当該隙間Ｐに磁界が形成されるように構成されている。
【００２５】
図２に示すように、装甲部品３は裏面から突出する板状の磁性体３１を有している。本実施形態では、装甲部品３の磁性体３１が、保持部２１１に形成された隙間Ｐに挿入されると、磁力によって磁性体３１が保持部２１１に保持されるようになる。このようにして、装甲部品３が腰部品２１に連結されるように構成されている。
【００２６】
部品連結構造についてさらに詳細に説明する。
図３は、本実施形態の部品連結構造の詳細を示す図である。図３では、説明を容易にするため、腰部品２１の一部及び装甲部品３の一部を省略している。
【００２７】
図３に示すように、保持部２１１は、腰部品２１の表面から突出する一対の突起部２１２ａ、２１２ｂと、板状磁石２１３ａ、２１３ｂとを有する。
【００２８】
一対の突起部２１２ａ、２１２ｂはそれぞれ、板状磁石２１３ａ、２１３ｂを支持するためのものである。図３に示すように、一対の突起部２１２ａ、２１２ｂは互いに対向するように設けられており、突起部２１２ａ、２１２ｂの対向する面のそれぞれに、板状磁石２１３ａ、２１３ｂが取り付けられている。具体的には、図４に示すように、突起部２１２ａ（又は２１２ｂ）の内側の面に、板状磁石２１３ａ（又は２１３ｂ）の外形と略同形状の凹部が設けられており、当該凹部に板状磁石２１３ａ（又は２１３ｂ）が収まるように構成されている。
【００２９】
板状磁石２１３ａ、２１３ｂは、磁界を発生させて、磁力により磁性体３１を引き付けて保持するためのものであり、具体的には永久磁石である。
図３に示すように、板状磁石２１３ａ、２１３ｂは、その間に前記隙間Ｐを形成できるように、所定の距離を空けて配置されている。
【００３０】
板状磁石２１３ａ及び２１３ｂは、互いに同極が向かい合うように配置されている。ここでは、板状磁石２１３ａ及び２１３ｂは、それぞれのＮ極が向かい合うように配置されている。具体的には、図４に示すように、板状磁石２１３ａは、突起部２１２ａに対向する側がＳ極となり、板状磁石２１３ｂに対向する側がＮ極となるように設置されている。板状磁石２１３ｂは、突起部２１２ｂに対向する側がＳ極となり、板状磁石２１３ａに対向する側がＮ極となるように設置されている。
【００３１】
磁性体３１は、磁力により保持部２１１に保持されるものである。磁性体３１は、例えば強磁性材料等、磁石との間で磁力を発生させるものであればよい。ここでは、磁性体３１として鉄片を用いている。図４に示すように、磁性体３１は、装甲部品３の裏面から突出する方向に長手方向を有する長尺状をなすものである。
【００３２】
図４に示すように、磁性体３１が保持部２１１の隙間Ｐに配置されると、磁性体３１は、磁力により、一対の板状磁石２１３ａ及び２１３ｂの両方から引っ張られるようになる。このようにして磁性体３１は保持部２１１の隙間Ｐ内に保持され、結果として装甲部品３と腰部品２１とが連結される。
【００３３】
このように構成された本実施形態の人形体１によれば、腰部品２１が有する２つの板状磁石２１３ａ及び２１３ｂは同極が向かい合うように（すなわち、Ｎ極同士が向かい合うように）配置されており、当該板状磁石２１３ａ及び２１３ｂの間に磁性体３１が配置されるので、磁性体３１と２つの板状磁石２１３ａ及び２１３ｂとの間に非常に強い磁力が働き、腰部品２１と装甲部品３とを強固に連結することができる。また、本体ユニット２（具体的には腰部品２１）と装甲部品３とが、物理的に接触して固定されることなく、磁力により非接触に連結されているので、例えば人形体１を開脚させる等して装甲部品３に過剰な力が加わった場合には、装甲部品３が腰部品２１から外れることができる。そのため、装甲部品３と腰部品２１の連結部分の破損を防止することができる。
【００３４】
さらに、２枚の板状磁石２１３ａ及び２１３ｂは同極が向かい合うように構成されるので、板状磁石２１３ａ及び２１３ｂは互いに反発するように力が働く。そのため、製造時において、板状磁石２１３ａ及び２１３ｂを、それぞれ突起部２１２ａ及び２１２ｂに距離を空けて取り付ける際に、一方の磁石を接着剤等で予め固定する必要がないので、製造が容易である。
【００３５】
また、磁性体３１が長尺状であるので、例えば人形体１を開脚させて、装甲部品３が脚部品２４によって押し上げられても、磁性体３１は、磁力によって保持部２１１に保持された状態で隙間Ｐの間をスライド移動することができる。そのため、装甲部品３はすぐに腰部品２１から脱落することがなく、広い可動域を実現できる。
【００３６】
なお本発明は、上述した実施形態に限られるものではない。
【００３７】
前記実施形態の磁性体３１は、長手方向において幅長さが略同一な形状であったが、これに限定されない。他の実施形態では、図５に示すように、磁性体３１は、板状磁石２１３ａ、２１３ｂの間に挿入された状態で、その先端側が、腰部品２１と脚部品２４（特許請求の範囲の“第３の部品”に相当する）との間の連結部から遠ざかる方向に曲がって延びる形状であってもよい。このような形態における装甲部品３の可動状態を図６に示す。図６は、人形体１の腰部品２１、脚部品２４及び装甲部品３を示す正面図であり、腰部品２１及び脚部品２４の一部を省略している。
【００３８】
図６（ａ）に示すように、人形体１が直立姿勢である場合には、磁性体３１のＬ字の角部３１ａが、保持部２１１内（具体的には２枚の板状磁石２１３ａ及び２１３ｂの間）に保持されるようになっており、これにより装甲部品３は腰部品２１に連結している。ここで、人形体１を開脚させて、脚部品２４を横方向に広げた場合には、脚部品２４によって装甲部品３が押し上げられるようになり、図６（ｂ）に示すように、磁性体３１は、角部３１ａを中心にして保持部２１１内で回転する。人形体１をさらに開脚させると、磁性体３１は保持部２１１内をスライド移動するようになる。具体的には図６（ｃ）に示すように、磁性体３１の端部３１ｂが保持部２１１に保持されるようになるまでスライド移動する。
このように、磁性体３１をＬ字形状にすることで、装甲部品３の可動範囲をより広げることができ、人形体１に多彩なポージングを取らせることが可能になる。
【００３９】
前記実施形態では、腰部品２１が、その表面から突出する一対の突起部２１２ａ及び２１２ｂを有し、当該突起部に板状磁石２１３ａ及び２１３ｂが取り付けられるものであったが、これに限定されない。
他の実施形態では、図７に示すように、腰部品２１には、その外側面に開口を有する凹部２１４が形成されており、当該凹部２１４の対向する側壁２１５ａ及び２１５ｂに、板状磁石２１３ａ及び２１３ｂが取り付けられてもよい。この場合でも、板状磁石２１３ａ及び２１３ｂは、所定の距離を空けて配置され、その間に隙間Ｑが形成されている。またこの実施形態でも、板状磁石２１３ａ及び２１３ｂは同極が向かい合うように配置される。装甲部品３の磁性体３１が当該隙間Ｑに挿入されることで、磁性体３１は、磁力によって一対の板状磁石２１３ａ及び２１３ｂの両方から引っ張られるようになる。このようにして磁性体３１が凹部２１４内に保持され、装甲部品３が腰部品２１に連結される。
【００４０】
板状磁石２１３ａ及び２１３ｂの形状は、矩形状、円形状、多角形状、その他任意の形状であってもよい。
【００４１】
前記実施形態では、腰部品２１が２枚の板状磁石を有する保持部２１１を有し、装甲部品３が磁性体３１を有するものであったが、これに限定されない。他の実施形態では、装甲部品３が所定の距離を空けて配置された２枚の板状磁石を有する保持部を有し、腰部品２１が磁性体を有していてもよい。
【００４２】
前記実施形態においては、玩具の一例として人形体を挙げて説明したが、これに限定されない。本発明が対象とする玩具としては、２つ以上の部品が互いに連結される構造のものであれば、任意の玩具であってよい。
【００４３】
前記実施形態では、第２の部品の一例として装甲部品３を挙げて説明したが、これに限らない。例えば、武器を模した部品などのその他の装飾部品であってもよい。
【００４４】
その他、本発明は前記実施形態に限られず、その趣旨を逸脱しない範囲で種々の変形が可能であるのは言うまでもない。
【符号の説明】
【００４５】
１・・・人形体（玩具）
２・・・本体ユニット
２１・・腰部品（第１の部品）
２１３ａ、２１３ｂ・・・板状磁石
３・・・装甲部品（第２の部品）
３１・・磁性体
【図１】
2019072078.tif 000003
【図２】
2019072078.tif 000004
【図３】
2019072078.tif 000005
【図４】
2019072078.tif 000006
【図５】
2019072078.tif 000007
【図６】
2019072078.tif 000008
【図７】
2019072078.tif 000009